(57)【要約】【課題】洗浄槽の内壁面の一部を固定式洗浄ノズルの一部とし、洗浄槽の内壁面と固定式洗浄ノズルとの間の隙間の発生を抑制して該隙間に残菜が堆積することを防止し、また利用者の指が前記隙間に入り込んで固定式洗浄ノズルに掛かり、固定式洗浄ノズルが洗浄槽の内壁面から外れることを防止できる食器洗い機を提供することを目的とする。【解決手段】溝状の樋部５０に設けられている鍔部５１を洗浄槽２の内壁面に取着し、樋部５０を前記内壁面に固定することで樋部５０の底面に設けられている噴射口５２から水を噴射する固定式洗浄ノズル５が形成され、前記内壁面の樋部５０が固定されている部分が固定式洗浄ノズル５の一部となるように構成した。【選択図】図２
2008048783.tif 000002
【特許請求の範囲】
【請求項１】
筐体の内部に設けられている洗浄槽と、該洗浄槽内に供給された水を循環させるポンプと、該ポンプから送られた水を噴射する固定式洗浄ノズルとを備える食器洗い機において、
前記固定式洗浄ノズルは前記洗浄槽の内壁面に固定されている溝状の樋部を備え、前記内壁面の前記樋部が固定されている部分が前記固定式洗浄ノズルの一部となっていることを特徴とする食器洗い機。
【請求項２】
前記内壁面は前記樋部が固定されている部分にて窪ませてなる溝部を備えることを特徴とする請求項１に記載の食器洗い機。
【請求項３】
前記樋部は縁部分に突起部を備え、前記内壁面は、前記樋部を前記内壁面に固定する場合に前記突起部が案内される案内溝を備えることを特徴とする請求項１又は２に記載の食器洗い機。
【請求項４】
筐体の内部に設けられている洗浄槽と、該洗浄槽内に供給された水を循環させるポンプと、該ポンプから送られた水を噴射する固定式洗浄ノズルとを備える食器洗い機において、
前記洗浄槽の内壁面は窪ませてなる溝部を備え、前記固定式洗浄ノズルは、前記洗浄槽内側に向いている面を有しており、該内側に向いている面が前記内壁面と同一面上に位置するように前記溝部の蓋をする蓋部を備え、前記溝部が前記固定式洗浄ノズルの一部となっていることを特徴とする食器洗い機。
【請求項５】
前記蓋部は突起部を備え、前記溝部は前記蓋部により蓋をされる場合に前記突起部が案内される案内溝を備えることを特徴とする請求項４に記載の食器洗い機。
【請求項６】
前記案内溝と前記突起部との間に間隙を設けてなる流水通路を備え、前記蓋部と前記溝部とが隣接している部分にて前記蓋部又は前記溝部に、前記流水通路に連通し該流水通路を通流した水が噴射される切欠を備えることを特徴とする請求項５に記載の食器洗い機。
【発明の詳細な説明】
【技術分野】
【０００１】
本発明は、洗浄槽内に堆積する残菜を減少させ且つ洗浄槽の内部容量を向上させる食器洗い機に関する。
【背景技術】
【０００２】
図９は従来の食器洗い機の固定式洗浄ノズルの略示拡大断面図である。従来の食器洗い機にあっては、筐体１０１と、筐体１０１の内部に設けられている洗浄槽１０２と、洗浄槽１０２の内壁面に取り付けられている筒状の固定式洗浄ノズル１０３と、固定式洗浄ノズル１０３に設けられている噴射口１０４とを備える。
【０００３】
この食器洗い機においては、洗浄槽１０２の内部に収容されている食器に固定式洗浄ノズル１０３の噴射口１０４から水を噴射させることにより食器に付着している汚れを剥離していた（特許文献１参照）。
【特許文献１】特開２００６−６１１８５号公報
【発明の開示】
【発明が解決しようとする課題】
【０００４】
特許文献１に記載の食器洗い機にあっては、固定式洗浄ノズル１０３を洗浄槽１０２の内壁面に取り付けると、固定式洗浄ノズル１０３と洗浄槽１０２の内壁面との間に隙間１０５が生じ、隙間１０５に残菜が堆積し悪臭が発生するという問題点があった。また利用者が洗浄槽１０２の清掃を行うと、隙間１０５に利用者の指が入り込んで固定式洗浄ノズル１０３に指が掛かり、固定式洗浄ノズル１０３が洗浄槽１０２の内壁面から外される虞があるという問題点があった。
【０００５】
本発明は斯かる事情に鑑みてなされたものであり、洗浄槽の内壁面を固定式洗浄ノズルの一部とすることにより、洗浄槽の内壁面と固定式洗浄ノズルとの間の隙間の発生を抑制して、隙間に残菜が堆積することを防止し、また利用者の指が隙間に入り込んで固定式洗浄ノズルに掛かり固定式洗浄ノズルが洗浄槽の内壁面から外れることを防止できる食器洗い機を提供することを目的とする。
【課題を解決するための手段】
【０００６】
本発明に係る食器洗い機は、筐体の内部に設けられている洗浄槽と、該洗浄槽内に供給された水を循環させるポンプと、該ポンプから送られた水を噴射する固定式洗浄ノズルとを備える食器洗い機において、前記固定式洗浄ノズルは前記洗浄槽の内壁面に固定されている溝状の樋部を備え、前記内壁面の前記樋部が固定されている部分が前記固定式洗浄ノズルの一部となっていることを特徴とする。
【０００７】
本発明においては、樋部を洗浄槽の内壁面に固定することにより、筒状の固定式洗浄ノズルが形成され、ポンプにより送られる水が前記固定式洗浄ノズルの内部を通流して水が噴射され、また固定式洗浄ノズルと前記内壁面との間に隙間が発生し難くなる。
【０００８】
また本発明に係る食器洗い機は、前記内壁面は前記樋部が固定されている部分にて窪ませてなる溝部を備えることを特徴とする。
【０００９】
本発明においては、洗浄槽の内壁面に窪ませてなる溝部を設け、該溝部に前記樋部を固定することにより、筒状の固定式洗浄ノズルが形成され、樋部を浅く形成した場合でも食器の洗浄又はすすぎに必要な水量が前記固定式洗浄ノズルの内部を通流する。
【００１０】
また本発明に係る食器洗い機は、前記樋部は縁部分に突起部を備え、前記内壁面は、前記樋部を前記内壁面に固定する場合に前記突起部が案内される案内溝を備えることを特徴とする。
【００１１】
本発明においては、前記樋部の縁部分に突起部を設け、前記内壁面に案内溝を設けることにより、突起部が案内溝に案内されて、樋部が前記内壁面に容易に固定される。
【００１２】
また本発明に係る食器洗い機は、筐体の内部に設けられている洗浄槽と、該洗浄槽内に供給された水を循環させるポンプと、該ポンプから送られた水を噴射する固定式洗浄ノズルとを備える食器洗い機において、前記洗浄槽の内壁面は窪ませてなる溝部を備え、前記固定式洗浄ノズルは、前記洗浄槽内側に向いている面を有しており、該内側に向いている面が前記内壁面と同一面上に位置するように前記溝部の蓋をする蓋部を備え、前記溝部が前記固定式洗浄ノズルの一部となっていることを特徴とする。
【００１３】
本発明においては、洗浄槽の内壁面に窪ませてなる溝部を設け、蓋部で該溝部の蓋をし、前記蓋部の前記洗浄槽内側を向いている面を前記内壁面と同一面上に位置せしめることにより、筒状の固定式洗浄ノズルを形成して水を通流させ、また蓋部と前記内壁面との隣接部分に段差が生じることを防ぐ。
【００１４】
また本発明に係る食器洗い機は、前記蓋部は突起部を備え、前記溝部は前記蓋部により蓋をされる場合に前記突起部が案内される案内溝を備えることを特徴とする。
【００１５】
前記溝部に案内溝を設け、前記蓋部に突起部を設けることにより、前記突起部が前記案内溝に案内されて、前記蓋部により前記溝部は容易に閉蓋される。
【００１６】
また本発明に係る食器洗い機は、前記案内溝と前記突起部との間に間隙を設けてなる流水通路を備え、前記蓋部と前記溝部とが隣接している部分にて前記蓋部又は前記溝部に、前記流水通路に連通し該流水通路を通流した水が噴射される切欠を備えることを特徴とする。
【００１７】
前記案内溝と前記突起部との間に流水通路を設け、該流水通路に連通する切欠を設けることにより、ポンプにより固定式洗浄ノズルの内部に送られた水は流水通路を通流し、切欠から噴射される。
【発明の効果】
【００１８】
本発明に係る食器洗い乾燥機においては、樋部を洗浄槽の内壁面に固定することにより、筒状の固定式洗浄ノズルが形成され、ポンプにより送られる水が前記固定式洗浄ノズルの内部を通流して水が噴射され、また固定式洗浄ノズルと前記内壁面との間に隙間が発生し難くなる。したがって固定式洗浄ノズルと前記内壁面との間の隙間に残菜が堆積して悪臭が発生することを防止し、洗浄槽の内部の清掃を行う場合に前記隙間に利用者の指が入り込み、固定式洗浄ノズルに指が掛かって該固定式洗浄ノズルが前記内壁面から外れることを防止することができる。
【００１９】
また本発明に係る食器洗い機においては、洗浄槽の内壁面に窪ませてなる溝部を設け、該溝部に前記樋部を固定することにより、筒状の固定式洗浄ノズルが形成され、樋部を浅く形成した場合でも食器の洗浄又はすすぎに必要な水量が前記固定式洗浄ノズルの内部を通流する。したがって前記固定式洗浄ノズルの洗浄槽内側に突出している部分を小さくして、洗浄槽内部の容量を大きくし食器の収容量を増加させることができる。
【００２０】
また本発明に係る食器洗い機においては、前記樋部の縁部分に突起部を設け、前記内壁面に案内溝を設けることにより、突起部が案内溝に案内されて、樋部が前記内壁面に容易に固定されるので、固定式洗浄ノズルの前記内壁面への取付を短時間で行うことができる。
【００２１】
また本発明に係る食器洗い機においては、洗浄槽の内壁面に窪ませてなる溝部を設け、蓋部で該溝部の蓋をし、前記蓋部の前記洗浄槽内側を向いている面を前記内壁面と同一面上に位置せしめることにより、筒状の固定式洗浄ノズルを形成して水を通流させ、また蓋部と前記内壁面との隣接部分に段差が生じることを防ぐ。したがって洗浄槽内部の容量を大きくし食器の収容量を増加させることができ、また洗浄槽の内部の清掃を行う場合に固定式洗浄ノズルに指が掛かり、該固定式洗浄ノズルが前記内壁面から外れることを防止することができる。
【００２２】
また本発明に係る食器洗い機においては、前記溝部に案内溝を設け、前記蓋部に突起部を設けることにより、前記突起部が前記案内溝に案内されて、前記蓋部により前記溝部は容易に閉蓋されるので、固定式洗浄ノズルの前記内壁面への取付を短時間で行うことができる。
【００２３】
また本発明に係る食器洗い機においては、前記案内溝と前記突起部との間に流水通路を設け、該流水通路に連通する切欠を設けることにより、ポンプにより固定式洗浄ノズルの内部に送られた水は流水通路を通流し、切欠から噴射される。したがって洗浄槽内側に向けて突出させた噴射口を設ける必要がなく、洗浄槽の内壁面を略平坦にして洗浄槽内部の意匠性を向上させることができる。
【発明を実施するための最良の形態】
【００２４】
（実施の形態１）
以下、本発明を実施の形態１を示す図面に基づいて詳述する。図１は実施の形態１に係る食器洗い機の正面から見た要部構成を示す模式図、図２は固定式洗浄ノズル５の略示拡大断面図である。
【００２５】
図において、１は食器洗い機の外装を成す筐体であり、洗浄槽２が筐体１の内部に設けられ、洗浄槽２の内部には食器１７を載せる食器受具３が設けられている。食器受具３の下側には、食器に水を噴射する噴射ノズル１２と、洗浄及びすすぎを行う場合に水を加熱する渦巻形状のヒータ４とが配置されている。洗浄槽２の内壁面には水を噴射する筒状の固定式洗浄ノズル５が設けられている。
【００２６】
洗浄槽２の底部左側には洗浄槽２を窪ませてなる貯水タンク１３が設けられている。貯水タンク１３に水を給水する給水管１４が洗浄槽２の左側面部と筐体１との間に配設されており、給水管１４の一端部には給水弁１５が取着され、給水管１４の他端部は洗浄槽２の内部に向けて開口している給水口１６となっている。
【００２７】
筐体１の底部中央にはポンプ７及びポンプ７を駆動するモータ８が設けられており、貯水タンク１３の底部とポンプ７とが吸込み管６を介して連接されている。ポンプ７の上部には上側に延びる送水管９が設けられており、送水管９は前記噴射ノズル１２及び筒状の固定式洗浄ノズル５に連なる送水ダクト１８に連設されている。またポンプ７の上部には筐体１の背面に向けて延設されている排水管１０が設けられており、排水管１０の先端開口は排水口１１となっている。
【００２８】
次に実施の形態１に係る食器洗い機の運転について説明する。給水弁１５を開き、水を給水管１４に通して給水口１６から貯水タンク１３に水を供給する。貯水タンク１３に供給された水は、吸込み管６を通ってポンプ７に送られる。ポンプ７に送られた水はモータ８の駆動により、送水管９及び送水ダクト１８を経由して噴射ノズル１２又は固定式洗浄ノズル５に送られ、噴射ノズル１２の噴射口又は固定式洗浄ノズル５の噴射口５２から洗浄槽２の内部に噴射される。
【００２９】
食器１７に向けて噴射された水は、食器１７の表面に当たり食器表面に付着した汚れを剥離させる。水の噴射が終了するとモータ８が逆向きに駆動され、貯水タンク１３に溜まっている水が吸込み管６を通りポンプ７に送られる。ポンプ７に送られた水は排水管１０を通り排水口１１から排水され、食器１７の洗浄又はすすぎが終了する。
【００３０】
次に固定式洗浄ノズル５の構成について詳述する。固定式洗浄ノズル５は、縁部分にて外向きに張出した鍔部５１を有しており、断面形状がコの字形の溝状の樋部５０を備えている。鍔部５１が洗浄槽２の内壁面に取着されて樋部５０が前記内壁面に固定されている。樋部５０の底面には噴射口５２が設けられており、前記噴射口５２から水が噴射される構成となっている。前記内壁面の樋部５０が固定されている部分は樋部５０の溝部分に蓋をしており、前記内壁面にて固定式洗浄ノズル５の一部を形成するノズル領域となっている。
【００３１】
鍔部５１を洗浄槽２の内壁面に取着して樋部５０を該内壁面に密着固定することにより、筒状の固定式洗浄ノズル５が形成され、ポンプ７により送られる水が前記固定式洗浄ノズル５の内部を通流し噴射口５２から水が噴射され、また固定式洗浄ノズル５と前記内壁面との間に隙間が発生し難くなっている。
【００３２】
したがって固定式洗浄ノズル５と前記内壁面との間の隙間に残菜が堆積して悪臭が発生することを防止し、洗浄槽２の内部の清掃を行う場合に前記隙間に利用者の指が入り込み、固定式洗浄ノズル５に指が掛かって該固定式洗浄ノズル５が前記内壁面から外れることを防止することができる。
【００３３】
なお樋部５０の溝部分と洗浄槽２との間に補強部材を設けても良い。また樋部５０の断面形状は円弧状、Ｖ字形状その他の水が通流可能な形状であっても良い。また鍔部５１を洗浄槽２の内壁面に取着する方法としては高周波蒸着、ビス止めが挙げられる。
【００３４】
（実施の形態２）
以下、本発明を実施の形態２を示す図面に基づいて詳述する。図３は実施の形態２に係る食器洗い機の固定式洗浄ノズル５の略示拡大断面図である。
【００３５】
固定式洗浄ノズル５は、縁部分に外向きに張出している鍔部５１を有し断面形状がコの字形の溝状の樋部５３を備えている。鍔部５１にはＴ形の突起部５１ａが設けられ、樋部５３の底面には噴射口５２が設けられており、噴射口５２から水が噴射される構成となっている。洗浄槽２の内壁面には窪ませてなる溝部２１が設けられており、溝部２１の縁付近であって鍔部５１に対向する部分にはＴ形の案内溝２１ａが設けられている。
【００３６】
前記突起部５１ａが前記案内溝２１ａに案内され、樋部５３が前記溝部２１に固定されている。該溝部２１及び樋部５３は対向して筒状を形成しており、溝部２１は前記内壁面にて固定式洗浄ノズル５の一部を形成するノズル領域となっている。
【００３７】
洗浄槽２の内壁面に窪ませてなる溝部２１を設け、該溝部２１に前記樋部５０を固定することにより、筒状の固定式洗浄ノズル５が形成され、樋部５３を浅く形成した場合でも食器１７の洗浄又はすすぎに必要な水量が前記固定式洗浄ノズル５の内部を通流する。したがって前記固定式洗浄ノズル５の洗浄槽内側に突出している部分を小さくして、洗浄槽２内部の容量を大きくし食器１７の収容量を増加させることができる。
【００３８】
また前記樋部５３の鍔部５１に突起部５１ａを設け、前記内壁面に案内溝２１ａを設けることにより、突起部５１ａが案内溝２１ａに案内されて、樋部５３が前記内壁面に容易に固定されるので、固定式洗浄ノズル５の前記内壁面への取付を短時間で行うことができる。
【００３９】
なお溝部２１の内側面の縁付近に縁に平行な案内溝を設け、鍔部５１の側端に突起部を一体に設けることにより、突起部を案内溝に沿って案内させ樋部５３を溝部２１に固定させても良い。また樋部５３は高周波蒸着又はビス止めにより溝部２１に固定しても良い。
【００４０】
実施の形態２に係る食器洗い機の構成の内、実施の形態１と対応する構成については同じ符号を付しその詳細な説明を省略する。
【００４１】
（実施の形態３）
以下、本発明を実施の形態２を示す図面に基づいて詳述する。図４は実施の形態３に係る食器洗い機の固定式洗浄ノズル５の略示拡大断面図である。
【００４２】
洗浄槽２の内壁面は断面形状がコの字形の窪ませてなる溝部２２を備えている。固定式洗浄ノズル５は前記溝部２２の蓋をする板状の蓋部５４を備えており、前記溝部２２の縁部分に蓋部５４の側端部分が取着されている。蓋部５４の洗浄槽２内側を向いている面が洗浄槽２の内壁面と同一面上に位置するように蓋部５４は溝部２２に固定されている。蓋部５４の洗浄槽２の内側を向いている面には噴射口５２が設けられており、噴射口５２から水が噴射される構成となっている。蓋部５４に蓋をされている溝部２２は、前記内壁面にて固定式洗浄ノズル５の一部を形成するノズル領域となっている。
【００４３】
洗浄槽２の内壁面に窪ませてなる溝部２２を設け、洗浄槽２内側に向いている面を有する蓋部５４を溝部２２に設けることにより、蓋部５４の洗浄槽２内側を向いている面と洗浄槽２の内壁面とを同一面上に位置せしめ、蓋部５４と洗浄槽２の内壁面との隣接部分に段差が生じることを防ぐ。
【００４４】
したがって洗浄槽２内部の容量を大きくすることができ、また洗浄槽２の内部の清掃を行う場合に固定式洗浄ノズル５に指が掛かり、該固定式洗浄ノズル５が前記内壁面から外れることを防止することができる。
【００４５】
実施の形態３に係る食器洗い機の構成の内、実施の形態１又は２と対応する構成については同じ符号を付しその詳細な説明を省略する。
【００４６】
（実施の形態４）
以下本発明を実施の形態４に係る食器洗い機を示す図面に基づいて説明する。図５は実施の形態４に係る食器洗い機の固定式洗浄ノズル５の略示拡大断面図である。
【００４７】
溝部２２の内側面の縁部分には縁に平行な案内溝２２ａが設けられ、蓋部５４には側縁に沿って突起部５４ａが一体に設けられている。突起部５４ａは案内溝２２ａに沿って案内され、蓋部５４の洗浄槽２内側を向いている面が洗浄槽２の内壁面と同一面上に位置するように蓋部５４は溝部２２に固定されている。
【００４８】
溝部２２の内側面の縁部分に縁に平行な案内溝２２ａを設け、蓋部５４に側縁に沿って突起部５４を一体に設けることにより、突起部５４ａは案内溝２２ａに沿って案内され、蓋部５４は溝部２２を容易に閉蓋する。
【００４９】
溝部２２に案内溝２２ａを設け、蓋部５４に突起部５４ａを設けることにより、前記突起部５４ａが前記案内溝２２ａに案内されて、前記蓋部５４は前記溝部２２を容易に閉蓋するので、固定式洗浄ノズル５の前記内壁面への取付を短時間で行うことができる。
【００５０】
実施の形態４に係る食器洗い機の構成の内、実施の形態１乃至３と対応する構成については同じ符号を付しその詳細な説明を省略する。
【００５１】
（実施の形態５）
以下本発明を実施の形態５に係る食器洗い機を示す図面に基づいて説明する。図６は実施の形態５に係る食器洗い機の固定式洗浄ノズル５の略示拡大断面図、図７は洗浄槽２の内部から見た固定式洗浄ノズル５の略示正面図、図８は固定式洗浄ノズル５の切欠部分の略示拡大断面図である。
【００５２】
溝部２２の内側面の縁部分に設けられている案内溝２２ａと蓋部５４の側端に設けられている突起部５４ａとの間に間隙を設けてなる流水通路２２ｃが形成されており、流水通路２２ｃは固定式洗浄ノズル５の内部と連通している。蓋部５４は溝部２２の縁部分と隣接しており、この隣接している部分にて蓋部５４及び溝部２２に切欠５４ｂ及び２２ｂが一対に設けられている。図７に示す如く切欠５４ｂ及び２２ｂの一対は前記隣接している部分にて等しい間隔で配置されており、切欠５４ｂ及び２２ｂは流水通路２２ｃに連通している。
【００５３】
図８の矢印は固定式洗浄ノズル５の内部に送られた水の流れを示している。ポンプ７により固定式洗浄ノズル５の内部に送られた水は流水通路２２ｃを通流し、切欠５４ｂ及び２２ｂから洗浄槽２内部に向けて噴射される。
【００５４】
案内溝２２ａと突起部５４ａとの間に流水通路２２ｃを設け、該流水通路２２ｃに連通する切欠５４ｂ及び２２ｂを設けることにより、ポンプ７により固定式洗浄ノズル５の内部に送られた水は流水通路２２ｃを通流し、切欠５４ｂ及び２２ｂから噴射されるので、洗浄槽２内側に向けて突出させた噴射口を設ける必要がなくなり、洗浄槽２の内壁面を略平坦にして洗浄槽２内部の意匠性を向上させることができ、また洗浄槽２内部の容量を大きくし食器１７の収容量を増加させることができる。
【００５５】
なお、切欠５４ｂ及び２２ｂは異なる間隔で配置されていても良く、また切欠５４ｂ又は２２ｂのいずれか一方が設けられていても良い。
【００５６】
実施の形態５に係る食器洗い機の構成の内、実施の形態１乃至４と対応する構成については同じ符号を付しその詳細な説明を省略する。
【図面の簡単な説明】
【００５７】
【図１】実施の形態１に係る食器洗い機の正面から見た要部構成を示す模式図である。
【図２】実施の形態１に係る食器洗い機の固定式洗浄ノズルの略示拡大断面図である。
【図３】実施の形態２に係る食器洗い機の固定式洗浄ノズルの略示拡大断面図である。
【図４】実施の形態３に係る食器洗い機の固定式洗浄ノズルの略示拡大断面図である。
【図５】実施の形態４に係る食器洗い機の固定式洗浄ノズルの略示拡大断面図である。
【図６】実施の形態５に係る食器洗い機の固定式洗浄ノズルの略示拡大断面図である。
【図７】実施の形態５に係る食器洗い機の洗浄槽の内部から見た固定式洗浄ノズルの略示正面図である。
【図８】実施の形態５に係る食器洗い機の固定式洗浄ノズルの切欠部分の略示部分拡大断面図である。
【図９】従来の食器洗い機の固定式洗浄ノズルの略示拡大断面図である。
【符号の説明】
【００５８】
２  洗浄槽
５  固定式洗浄ノズル
７  ポンプ
２１，２２  溝部
２１ａ，２２ａ  案内溝
２２ｂ，５４ｂ  切欠
２２ｃ  流水通路
５０,５３  樋部
５１  鍔部
５１ａ，５４ａ  突起部
５２  噴射口
５４  蓋部
【図１】
2008048783.tif 000003
【図２】
2008048783.tif 000004
【図３】
2008048783.tif 000005
【図４】
2008048783.tif 000006
【図５】
2008048783.tif 000007
【図６】
2008048783.tif 000008
【図７】
2008048783.tif 000009
【図８】
2008048783.tif 000010
【図９】
2008048783.tif 000011